(57)【要約】【課題】野外で雨水から保護しながら電源電池の収納が可能で、簡単な構造のものとすることのできる電池ケースを提供すること。【解決手段】電池４０が収納される収納部１１を有し、この収納部１１の上下両端に上蓋取付部１３及び下蓋取付部１４をそれぞれ形成したケース本体１０と、このケース本体１０の上蓋取付部１３に嵌合されて、電池４０の接続端子が収納される上蓋２０と、ケース本体１０の下蓋取付部１４に嵌合される下蓋３０とにより構成したこと。【選択図】図２
2004327275.tif 000002
【特許請求の範囲】
【請求項１】
バリケードに設けられる警告灯への電源となる電池を収納すべく、合成樹脂によって形成される電池ケースであって、
前記電池が収納される収納部を有し、この収納部の上下両端に上蓋取付部及び下蓋取付部をそれぞれ形成したケース本体と、このケース本体の前記上蓋取付部に嵌合されて、前記電池の接続端子が収納される上蓋と、前記ケース本体の下蓋取付部に嵌合される下蓋とにより構成したことを特徴とする電池ケース。
【請求項２】
少なくとも前記ケース本体の側面に、前記バリケードの柱の太さ程度の距離をおいて互いに対向し合う取付突起をそれぞれ形成したことを特徴とする請求項１に記載の電池ケース。
【請求項３】
前記ケース本体、上蓋、及び下蓋の全てを合成樹脂のブロー成形によって形成したものとするとともに、
前記上蓋取付部に対する上蓋の取付は、当該上蓋側が外嵌合され、前記下蓋取付部に対する下蓋の取付は、当該下蓋側が内嵌合されるものであり、
かつ、各取付部に膨出嵌合部を形成し、これらの膨出嵌合部に対して係合または嵌合される係止部を前記各蓋側に形成して、各膨出嵌合部と係止部とを互いに係合または嵌合させることより、前記取付が行えるようにしたことを特徴とする請求項１または２に記載の電池ケース。
【発明の詳細な説明】
【０００１】
【発明の属する技術分野】
本発明は、工事中であることを夜間でも明確に示すための警告灯等の電源電池を収納するための電池ケースに関するものである。
【０００２】
【従来の技術】
道路改修等の工事現場は、夜間でも車の往来があるため、そこが工事現場であることを運転者に点滅光で明確に示すための警告灯が使用されている。これらの警告灯は、通常は電源を必要とするものであるが、この電源としては一般的には電池が採用されている。
【０００３】
この電源電池は、何等かのケースに入れないと十分な機能を発揮しないことは当然として、野外に置かれることが殆どであるから雨水等による水濡れ防止を図らなければならない。また、電源電池の設置場所としては、工事現場で使用するバリケード（移動式のものでも固定式のものでも構わない）が最も簡便であり、このバリケードのどこかに電源電池を取り付け、あるいは吊下する電源ケースが望まれている。
【０００４】
この種の警告灯の電源電池のための従来の収納ケースは、例えば特許文献１に記載されている「工事用照明器具」ような手段で警告灯の一部として構成されていた。
【０００５】
【特許文献１】特開２０００−１００２０１、要約、段落００１１、段落００２５
【０００６】
【発明が解決しようとする課題】
この特許文献１に記載された「工事用照明器具」は、「比較的簡単な構造で防雨構造を保持しつつ、電池交換はもちろん、ＬＥＤ基板の交換も容易に可能とし、また、印刷配線基板も片面型ですみ、しかもＬＥＤの取付作業も自動挿入機の使用を可能とし、さらに電池の構成についても新しい工夫を施した、工事用照明器具を提供すること」（段落００１１）を目的としてなされたもので、特に、電池のケースについては、「１は電池ケースで樹脂のブロー成形により円筒状に形成し、上端は開口し、端縁外周にはネジ１ａが切られており、後述のベース部がねじ込まれて取り付けられる」ものであり、「（この）電池ケース１は本実施例では、単１の乾電池３個直列に並べたものを収容可能な大きさとした」（段落００２５）ものである。
【０００７】
しかしながら、この特許文献１中に記載されている「電池ケース１」では、ブロー成形したものである結果、「円筒状に形成し、上端は開口し、端縁外周にはネジ１ａが切られ」ていて、底は塞がれたものとなっている。このため、３個の電池はケースとは別のシュリンク材によって包み込んで一体化しなければならず（段落４０）、底からの電気導出は、スプリング４に接続したフック状の折り曲げ部４ｂをケース１の縁に引っかかるように延在させて行わなければならない（段落００２７）。
【０００８】
しかも、この特許文献１の「ケース１」は、「樹脂のブロー成形により円筒状に形成し」て、その「上端開口の端縁外周にネジ１ａを切ら」なければならないから、ブロー成形後に別の加工が必要になって、樹脂のブロー成形によるメリット（コスト低減）が十分生かされていないか、ブロー成形による「ネジ」であれば肉厚が均一でなく内寸がバラバラで非常に不正確なものとなっており、十分なネジ込みが行えないものとなっていると考えられる。
【０００９】
そこで、本発明者等は、この種の警告灯のための電池ケースについて、野外で雨水から保護しながら電源電池の収納が可能で、簡単な構造のものとするにはどうしたらよいか、について種々検討を重ねてきた結果、本発明を完成したのである。
【００１０】
すなわち、本発明の主たる目的は、野外で雨水から保護しながら電源電池の収納が可能で、簡単な構造のものとすることのできる電池ケースを提供することにある。
【００１１】
【課題を解決するための手段】
以上の課題を解決するために、まず、請求項１に係る発明の採った手段は、後述する実施の形態の説明中で使用する符号を付して説明すると、
「バリケードに設けられる警告灯への電源となる電池４０を収納すべく、合成樹脂によって形成される電池ケース１００であって、
電池４０が収納される収納部１１を有し、この収納部１１の上下両端に上蓋取付部１３及び下蓋取付部１４をそれぞれ形成したケース本体１０と、このケース本体１０の上蓋取付部１３に嵌合されて、電池４０の接続端子が収納される上蓋２０と、ケース本体１０の下蓋取付部１４に嵌合される下蓋３０とにより構成したことを特徴とする電池ケース１００」
である。
【００１２】
すなわち、この請求項１に係る電池ケース１００は、まず、ケース本体１０と、このケース本体１０の上端側に取り付けられる上蓋２０と、ケース本体１０の下端側に取り付けられる下蓋３０との３部品により構成し、これらのケース本体１０、上蓋２０、及び下蓋３０の全てを、合成樹脂を使用して、１つまたは複数の金型による射出成形またはブロー成形によって形成したものである。そして、これらのケース本体１０、上蓋２０、及び下蓋３０は、樹脂成形後は、「ネジ切り」等の後加工を何等施す必要のない形状のものとして完成されるものであり、これにより、樹脂成形という簡単な手段で低コスト化を実現し得るようにしたものなのである。
【００１３】
また、これらのケース本体１０、上蓋２０、及び下蓋３０は、ケース本体１０の上蓋取付部１３及び下蓋取付部１４に対して上蓋２０及び下蓋３０を互いに嵌合させることにより電池ケース１００として一体化されるものであり、この嵌合という手段を採用することにより、複数の電池４０の収納部１１内での一体化を、特許文献１に記載されているようなシュリンクフィルムを使用しなくても確実に果たせるようにしたものである。そして、下蓋３０に引出穴（図示しない）を形成して、この引出穴より電池４０からの電気を導出する配線を引き出すようにすれば、電池ケース１００としての機能は十分果たせるものである。勿論、上蓋２０そのものに警告灯を設けるようにすれば、下蓋３０の引出穴は不要となる。
【００１４】
さらに、この請求項１の電池ケース１００は、ケース本体１０、上蓋２０及び下蓋３０の３分割品であり、各部材は嵌合という手段によって一体化するものであるから、ケース本体１０の収納部１１に対する電池４０の出し入れは、例えば下蓋３０のみを外すことによって簡単に行えるのであり、電池４０からの電力を取り出すための配線を各部材毎に取り付けることができる。このため、ケース本体１０、上蓋２０あるいは下蓋３０の何れかが破損した場合には、他の同一部品を交換するだけで大部分を再使用することができるものとなっているのである。
【００１５】
そして、上下蓋２０・３０の長さを短くすることにより、その中への導通を取るための接続端子の挿入や取付を目視しながら簡単に行うことができるようになることは勿論、その分ケース本体１０を長くすることができるため、電池４０の収納場所を十分確保することができることにもなる。
【００１６】
なお、この電池ケース１００のケース本体１０として、間の橋架部１２により連結された少なくとも一対の収納部１１・１１を有し、これら各収納部１１の上下両端にそれぞれ形成した上蓋取付部１３及び下蓋取付部１４を有するものを採用した場合には、これら一対の収納部１１・１１によって大量の単１電池４０（実施形態のものにおいては合計８本）を収納できる。それだけでなく、このようにした場合には、各収納部１１毎に電池４０の収納部を分けて、各収納部１１の下蓋取付部１４に対して個別または連結した下蓋３０を嵌合することができるのであり、両収納部１１間になる上蓋２０内に各列の電池４０を電気的に接続する接続部材を挿入しておくだけで各収納部１１の、当該電池ケース１００内での電気的接続を簡単に行えて、各収納部１１に対する電池４０の交換を簡単に行えることにもなるのである。
【００１７】
勿論、ケース本体１０の上蓋取付部１３には、電池４０の接続端子が収納される上蓋２０が嵌合されるのであり、ケース本体１０の下蓋取付部１４には、上述したように、電池４０からの電気を導出する配線の引出穴を有する下蓋３０が個別に嵌合されるのであるから、収納部１１内に雨水が浸入することはない。
【００１８】
従って、この請求項１に係る電池ケース１００は、野外で雨水から保護しながら電源電池４０の収納が可能となっているだけでなく、度々行わなければならない電池４０の交換も容易に行えて、しかも簡単な構造のものとなっているのである。
【００１９】
上記課題を解決するために、請求項２に係る発明の採った手段は、上記請求項１に記載の電池ケース１００について、
「少なくともケース本体１０の側面に、バリケードの柱５０の太さ程度の距離をおいて互いに対向し合う取付突起１５をそれぞれ形成したこと」
である。
【００２０】
すなわち、この請求項２の電池ケース１００は、図１にも示すように、少なくとも電池４０を収納する収納部１１の側面に、互いに対向し合う取付突起１５を形成したものであり、図５に示すように、これらの取付突起１５内にバリケードの柱５０を係合させれば、当該電池ケース１００をバリケードに簡単に取り付けることができて、紛失の防止も果たすことができるのである。勿論、これらの取付突起１５は、図１に示すように、上蓋２０側に設けることもできるし、下蓋３０に設けることもできる。
【００２１】
なお、以下に示す実施形態においては、この取付突起１５を、他の部分と同時にブロー成形によって形成し、この取付突起１５から突出するアンダーカット部１５ａをさらにブロー成形によって形成しており、電池ケース１００のバリケードの柱５０に対する取り付け及び取り外しを弾力性を付与しながら行えるようにしている。このため、当該電池ケース１００のバリケードの柱５０に対する取付や取り外し作業を、内部の配線や電池ケース１００の各嵌合部に損傷を与えないで行えるものとなっている。
【００２２】
従って、この請求項２に係る電池ケース１００は、上記請求項１の電池ケース１００と同様な機能を発揮する他、バリケードに簡単に取り付けることができて、紛失の防止も果たすことができるものとなっているのである。
【００２３】
上記課題を解決するために、請求項３に係る発明の採った手段は、上記請求項１または２に記載の電池ケース１００について、
「ケース本体１０、上蓋２０、及び下蓋３０の全てを合成樹脂のブロー成形によって形成したものとするとともに、
上蓋取付部１３に対する上蓋２０の取付は、当該上蓋２０側が外嵌合され、下蓋取付部１４に対する下蓋３０の取付は、当該下蓋３０側が内嵌合されるものであり、
かつ、各取付部１３・１４に膨出嵌合部１３ａ・１４ａを形成し、これらの膨出嵌合部１３ａ・１４ａに対して係合または嵌合される係止部２１・３１を各蓋２０・３０側に形成して、各膨出嵌合部１３ａ・１４ａと係止部２１・３１とを互いに係合または嵌合させることより、前記取付が行えるようにしたこと」
である。
【００２４】
すなわち、この請求項３の電池ケース１００では、そのケース本体１０、上蓋２０、及び下蓋３０の全てを合成樹脂のブロー成形によって形成したものであり、これにより、各部材の一体化を「嵌合」という手段によって簡単かつ確実に行えるものとなっているだけでなく、全体のコスト低減を図り得るものとなっているのである。
【００２５】
また、この電池ケース１００では、上蓋取付部１３に対する上蓋２０の取付は、当該上蓋２０側が外嵌合され、下蓋取付部１４に対する下蓋３０の取付は、当該下蓋３０側が内嵌合されるものであって、各膨出嵌合部１３ａ・１４ａと係止部２１・３１とを互いに係合または嵌合させることより取り付けが行えるのであるから、ケース本体１０と上蓋２０、及びケース本体１０と下蓋３０とがしっかりと嵌合されるだけでなく、上から下に流れる雨水が、ケース本体１０内に浸入することはない。
【００２６】
しかも、上蓋２０の上蓋取付部１３に対する取付や、下蓋３０の下蓋取付部１４に対する取付は、それぞれ嵌合によって行うものであるから、ケース本体１０側に形成してある電池４０の各収納部１１について、その内側に突出するもので行えるのであり、電池４０の収納場所が十分確保され、しかもこれらの収納部１１からの電池の出し入れをも円滑に行えるのである。
【００２７】
従って、この請求項３に係る電池ケース１００は、上記請求項１または請求項２の電池ケース１００と同様な機能を発揮する他、各部材の一体化が確実となっており、雨水の浸入もより一層確実に防止し得るものとなっているのである。
【００２８】
なお、実施形態の電池ケース１００では、その下蓋３０の係止部３１を略ボッチ形状とし、この係止３１が係合されるケース本体１０側の膨出嵌合部１４ａを略「Ｌ」または「コ」字状、あるいは「鍵」形状の膨出係合隘路としたものであり、ケース本体１０と上蓋２０、及びケース本体１０と下蓋３０とをしっかりと嵌合でき、取り外しも簡単に行えるものとなている。勿論、膨出嵌合部１４ａと下蓋３０の係止部３１との凹凸形状を、以上とは逆にして形成してもといものである。
【００２９】
また、上記の各請求項に係る電池ケース１００について、二つの収納部１１・１１間にある架橋部１２を、実施形態で例示するように、その少なくとも一部が互いに接続しあうようにすれば、全体の強度が高まり、耐久性にも優れた電池ケース１００となるのである。
【００３０】
【発明の実施の形態】
次に、以上のように構成した各請求項に係る発明を、図面に示した実施の形態である電池ケース１００について説明するが、この実施形態の電池ケース１００は、上記各発明の全てを実質的に含むものである。
【００３１】
さて、図１には、本発明に係る電池ケース１００を裏面側からみた斜視図が示してあり、この電池ケース１００は、図２にも示すように、互いに平行は２本の収納部１１を有するケース本体１０と、このケース本体１０の上蓋取付部１３に嵌合される上蓋２０と、ケース本体１０の下蓋取付部１４に嵌合される下蓋３０とからなっているものである。これらのケース本体１０、上蓋２０、及び下蓋３０は、図２に示すような配置で間に切除される「つなぎ」を入れた状態で、その一組を合成樹脂のブロー成形によって同時成形したものであり、つなぎ部分を切除することによって各部品としたものである。
【００３２】
ケース本体１０は、各図に示すように、互いに平行となっている収納部１１を２個所有しているものであり、各収納部１１の上端（図１では図示右端、図２では図示上端）には、後述する上蓋２０の係止部２１を外嵌合するための上蓋取付部１３が形成してあり、収納部１１の下端（図１では図示左端、図２では図示下端）には、後述する下蓋３０の係止部３１を内嵌合するための下蓋取付部１４が形成してある。
【００３３】
ケース本体１０の上蓋取付部１３には、図２に示したような膨出嵌合部１３ａが形成してある。この膨出嵌合部１３ａは、図８にも示したように、上蓋取付部１３の一部を膨出させて形成したものであり、この膨出嵌合部１３ａの外側には、後述する上蓋２０側の係止部２１が嵌合されて係止されることになるものである。
【００３４】
これに対してケース本体１０の下蓋取付部１４には、図２に示したような膨出嵌合部１４ａが形成してある。この膨出嵌合部１４ａは、図７にも示したように、下蓋取付部１４の一部を膨出させて形成したものであり、この膨出嵌合部１４ａの内側には、後述する下蓋３０側の係止部３１が嵌合されて係止されることになるものである。
【００３５】
また、このケース本体１０にあっては、２個所の収納部１１を橋架部１２によって連結したものとしてあるが、各橋架部１２は２個所の収納部１１を形成する部分とともに、合成樹脂材料を袋状あるいは筒状にしていたものであり、ブロー成形を可能にしていた部分である。これらの橋架部１２は、例えば図７に示したように、少なくともその一部を接着して互いに表裏で繋がったものとしたものであり、これにより、収納部１１の筒状形状をしっかりと維持するとともに、ケース本体１０全体の剛性を高めているのである。
【００３６】
さらに、このケース本体１０の裏面側には、図１及び図３〜図６に示したように、互いに対向し合う取付突起１５を膨出成形してあり、これら各取付突起１５には、互いに向けてさらに対向し合うことになるアンダーカット部１５ａが膨出成形してある。これらの取付突起１５及びアンダーカット部１５ａは、図５中の仮想線にて示したバリケードの柱５０を挟み込むことができるようにしているものであり、完成された電池ケース１００をバリケードの一部に取り付けるために使用されるものである。
【００３７】
なお、このケース本体１０の表面には、その長さ方向（図２では図示上下方向）に伸びる突条が複数形成してあり、これらの突条によって当該ケース本体１０全体の剛性が高まるようにしてある。
【００３８】
上蓋２０は、図１及び図２に示したように、ケース本体１０に形成してある各収納部１１の上蓋取付部１３に外嵌合される筒状部を有したものであり、これらの２つの筒状部の上端は潰された状態にしてある。この潰された部分が図２に示した吊下部２２であり、この吊下部２２を利用して電池ケース１００全体のバリケード等に対する吊下がなされることもある。そのために、この吊下部２２には、吊下するに使用する紐を通す穴が形成してある。
【００３９】
この上蓋２０には、図２にも示したように、上記ケース本体１０側の膨出嵌合部１３ａに嵌合または係止されることになる係止部２１が形成してある。この係止部２１は、図８にも示したように、筒状部の一部を膨出させて形成したものであり、この係止部２１の内側には、前述した上蓋取付部１３側の膨出嵌合部１３ａが嵌合されて係止されることになるものである。
【００４０】
本実施形態の上蓋２０では、その２つの筒状部内は連通していて、この中に２列になった電池４０の端部同士を電気的に接続するための接続具が収納されるのであり、これにより、各収納部１１内に収納した各電池４０を直列に接続できるようになっている。つまり、当該上蓋２０は、これがケース本体１０と完全に分離されていることから、その中に接続具を収納したり交換したりする作業を非常に簡単に行えるだけでなく、当該上蓋２０は電池ケース１００の上端側に配置するものであることから、ケース本体１０内への雨水の浸入を防止することができるのである。
【００４１】
なお、本実施形態の電池ケース１００では、係止部２１は、上蓋２０の各筒状部の表裏両面に形成して２個宛としてあり、当該上蓋２０のケース本体１０に対する嵌合状態を確実に維持できるようにしている。もし、当該上蓋２０をケース本体１０から外したい場合には、この上蓋２０をケース本体１０に対してこじるようにすれば、各係止部２１と膨出嵌合部１３ａとの嵌合状態を簡単に解除することができて、その取り外しは容易に行える。
【００４２】
一方、下蓋３０は、図１及び図２に示したように、各収納部１１の下蓋取付部１４に個別に内嵌合されるものであり、図２の図示上下両端には係止部３１及び引出部３３がそれぞれ形成してある。各係止部３１には、上述したケース本体１０側の下蓋取付部１４における膨出嵌合部１４ａに嵌合される嵌合部３２が形成してあり、この嵌合部３２は、図７に示したように、略「Ｌ」または「コ」字状の膨出嵌合部１４ａ内に係合され、この係合操作は次のようになされる。
【００４３】
すなわち、ケース本体１０側の各膨出嵌合部１４ａは、図２に示したように、下蓋取付部１４の図示した端部にて開口したものであるから、この開口部に下蓋３０側の嵌合部３２を挿入しながら、図２中のクランク状矢印で示したように、当該下蓋３０全体を押しながら回すのである。そうすると、各下蓋３０の係止部３１がケース本体１０側の下蓋取付部１４内に内嵌合されて、嵌合部３２が膨出嵌合部１４ａ内にしっかりと係合するのである。
【００４４】
なお、本実施形態に係る各下蓋３０の内部には、電池４０の導通を採るととともに、各電池４０の収納部１１内での収まりを確実にする図示しないスプリングが入れられるのであり、その配線は、上記引出部３３から外部に引き出される。
【００４５】
勿論、この下蓋３０は、ケース本体１０の各下蓋取付部１４に対して下側から内嵌合されるものであるから、ケース本体１０内に雨水が浸入することを防止するのである。
【００４６】
【発明の効果】
以上、詳述した通り、本発明においては、上記実施形態の電池ケース１００で例示した如く、
「バリケードに設けられる警告灯への電源となる電池４０を収納すべく、合成樹脂によって形成される電池ケース１００であって、
電池４０が収納される収納部１１を有し、この収納部１１の上下両端に上蓋取付部１３及び下蓋取付部１４をそれぞれ形成したケース本体１０と、このケース本体１０の上蓋取付部１３に嵌合されて、電池４０の接続端子が収納される上蓋２０と、ケース本体１０の下蓋取付部１４に嵌合される下蓋３０とにより構成したこと」
にその主たる特徴があり、これにより、野外で雨水から保護しながら電源電池の収納が可能となっているだけでなく、度々行わなければならない電池４０の交換も容易に行えて、しかも簡単な構造のものとすることのできる電池ケース１００を提供することができるのである。
【図面の簡単な説明】
【図１】本発明に係る電池ケースの裏面側からみた斜視図である。
【図２】同電池ケースの分解正面図である。
【図３】同電池ケースの背面図である。
【図４】同電池ケースの側面図である。
【図５】同電池ケースの底面図である。
【図６】同電池ケースの平面図である。
【図７】図１の１−１線に沿ってみた拡大横断面図である。
【図８】図１の２−２線に沿ってみた拡大横断面図である。
【符号の説明】
１００    電池ケース
１０    ケース本体
１１    収納部
１２    橋架部
１３    上蓋取付部
１３ａ  膨出嵌合部
１４    下蓋取付部
１４ａ  膨出嵌合部
１５    取付突起
１５ａ  アンダーカット部
２０    上蓋
２１    係止部
２２    吊下部
３０    下蓋
３１    係止部
３２    嵌合部
３３    引出部
４０    電池
５０    バリケードの柱
【図１】
2004327275.tif 000003
【図２】
2004327275.tif 000004
【図３】
2004327275.tif 000005
【図４】
2004327275.tif 000006
【図５】
2004327275.tif 000007
【図６】
2004327275.tif 000008
【図７】
2004327275.tif 000009
【図８】
2004327275.tif 000010